(57)【要約】【課題】前方左スピーカ及び前方右スピーカの各々に前方中央スピーカを取り付けることができ、前方中央スピーカから出力するオーディオ信号を最適な音質で聴取することができるホームシアターシステム及びそれに用いるマルチチャンネルスピーカシステムを提供する。【解決手段】前方左スピーカ及び前方右スピーカは、それぞれ前方中央スピーカを取り付けることができる。前方左スピーカは、前方左チャンネル及び前方中央チャンネル入力端子を備え、前方右スピーカは、前方右チャンネル入力端子及び前方中央チャンネル入力端子を備える。前方左スピーカ及び前方右スピーカに取り付けられた前方中央スピーカは、前方左スピーカ及び前方右スピーカに対して、左右方向に回動することができる。【選択図】　図１
2004128552.tif 000002
【特許請求の範囲】
【請求項１】
映像信号及びマルチチャンネルのオーディオ信号を出力する再生装置と映像信号を再生出力する映像モニタとマルチチャンネルのオーディオ信号を再生出力するマルチチャンネルスピーカシステムとを備えたホームシアターシステムにおいて、
前記マルチチャンネルスピーカシステムは、前方左チャンネルのオーディオ信号を再生出力する前方左スピーカユニットと、前方右チャンネルのオーディオ信号を再生出力する前方右スピーカユニットと、前方中央チャンネルのオーディオ信号を再生出力する第１前方中央スピーカユニット及び第２前方中央スピーカユニットからなる前方中央スピーカユニットを備え、
前記第１前方中央スピーカユニットと前記前方左スピーカユニットを１つのユニットとして一体化し、前記第２前方中央スピーカユニットと前記前方右スピーカユニットを１つのユニットとして一体化したことを特徴とするホームシアターシステム。
【請求項２】
マルチチャンネルのオーディオ信号を再生出力するマルチチャンネルスピーカシステムにおいて、
前方左チャンネルのオーディオ信号を再生出力する前方左スピーカユニットと、
前方右チャンネルのオーディオ信号を再生出力する前方右スピーカユニットと、前方中央チャンネルのオーディオ信号を再生出力する第１前方中央スピーカユニット及び第２前方中央スピーカユニットからなる前方中央スピーカユニットを備え、
前記第１前方中央スピーカユニットと前記前方左スピーカユニットを１つのユニットとして一体化し、前記第２前方中央スピーカユニットと前記前方右スピーカユニットを１つのユニットとして一体化したことを特徴とするマルチチャンネルスピーカシステム。
【請求項３】
請求項２記載のマルチチャンネルスピーカシステムにおいて、
前記前方左スピーカユニットは、前方左チャンネルのオーディオ信号を入力する第１入力手段と前方中央チャンネルのオーディオ信号を入力する第２入力手段を備え、前記前方右スピーカユニットは、前方右チャンネルのオーディオ信号を入力する第３入力手段と前方中央チャンネルのオーディオ信号を入力する第４入力手段を備えることを特徴とするマルチチャンネルスピーカシステム。
【請求項４】
請求項２又は請求項３記載のマルチチャンネルスピーカシステムにおいて、
前記第１前方中央スピーカユニットは、前記前方左スピーカユニットと嵌合する第１嵌合手段を備え、前記第２前方中央スピーカユニットは、前記前方右スピーカユニットと嵌合する第２嵌合手段を備え、前記前方左スピーカユニットと前記第１前方中央スピーカユニットが前記第１嵌合手段により嵌合しているとき、前記第１嵌合手段は、前記前方左スピーカユニットが備える前記第２入力手段から入力された前方中央チャンネルのオーディオ信号を前記第１前方中央スピーカユニットに伝達し、
前記前方右スピーカユニットと前記第２前方中央スピーカユニットが前記第２嵌合手段により嵌合しているとき、前記第２嵌合手段は、前記前方右スピーカユニットが備える前記第２入力手段から入力された前方中央チャンネルのオーディオ信号を前記第２前方中央スピーカユニットに伝達することを特徴とするマルチチャンネルスピーカシステム。
【請求項５】
請求項２乃至請求項４の何れか１項に記載のマルチチャンネルスピーカシステムにおいて、
前記第１前方中央スピーカユニットは、前記前方左スピーカユニットと前記第１嵌合手段により嵌合しているとき、左右方向に自在に回動する第１回動手段を備え、
第２前方中央スピーカユニットは、前記前方右スピーカユニットと前記第２嵌合手段により嵌合しているとき、左右方向に自在に回動する第２回動手段を備えることを特徴とするマルチチャンネルスピーカシステム。
【請求項６】
請求項２乃至請求項５の何れか１項に記載のマルチチャンネルスピーカシステムにおいて、
前記第１前方中央スピーカユニット及び第２前方中央スピーカユニットは、前方中央チャンネルのオーディオ信号を入力する手段を備えることを特徴とするマルチチャンネルスピーカシステム。
【発明の詳細な説明】
【０００１】
【発明の属する技術分野】
本発明は、再生装置、映像モニタ及びマルチチャンネルスピーカシステムを備えたホームシアターシステム及びそれに用いるマルチチャンネルスピーカシステムに関する。
【０００２】
【従来の技術】
映像信号及びマルチチャンネルのオーディオ信号が記録されたデジタル　バーサタイル　ディスク（ＤＶＤ：　Ｄｉｇｉｔａｌ　Ｖｅｒｓａｔｉｌｅ　Ｄｉｓｃ）等の光ディスクがある。この光ディスクに記録された映像信号及びマルチチャンネルのオーディオ信号を出力する再生装置として、ＤＶＤプレーヤやＡＶ（Ａｕｄｉｏ　Ｖｉｓｕａｌ）アンプ等がある。再生装置から出力した映像信号は、再生装置に接続したテレビ等の映像モニタから出力され、再生装置から再生出力したマルチチャンネルのオーディオ信号は、再生装置に接続した複数のスピーカから出力される。本明細書中では、これら複数のスピーカをマルチチャンネルスピーカシステムと呼び、また、再生装置、映像モニタ及びマルチチャンネルスピーカシステムをホームシアターシステムと呼ぶ。図６は、５．１チャンネルのオーディオ信号を出力するマルチチャンネルスピーカシステムにおける各スピーカの一般的な配置を示す図である。
【０００３】
図６に示すように、聴取者２０の前方左に前方左チャンネル（ＦＬｃｈ　：Ｆｒｏｎｔ　Ｌｅｆｔ　Ｃｈａｎｎｅｌ）スピーカ２１、前方右に前方右チャンネル（ＦＲｃｈ　：Ｆｒｏｎｔ　Ｒｉｇｈｔ　Ｃｈａｎｎｅｌ）スピーカ２２、前方中央に前方中央チャンネル（Ｃｃｈ　：Ｃｅｎｔｅｒ　Ｃｈａｎｎｅｌ）スピーカ２３、聴取者２０の後方左に後方左チャンネル（ＳＬｃｈ　：Ｓｕｒｒｏｕｎｄ　Ｌｅｆｔ　Ｃｈａｎｎｅｌ）スピーカ２４及び後方右に後方右チャンネル（ＳＲｃｈ　：Ｓｕｒｒｏｕｎｄ　Ｌｅｆｔ　Ｃｈａｎｎｅｌ）スピーカ２５が配置されている。また、任意の位置にサブウーハーチャンネル（ＳＷｃｈ　：Ｓｕｂ　Ｗｏｏｆｅｒ　Ｃｈａｎｎｅｌ）スピーカ２６が配置されている。
【０００４】
また、図６に示す５．１チャンネルのオーディオ信号を出力するマルチチャンネルスピーカシステムにおいて、ＦＬｃｈスピーカ、ＦＲｃｈスピーカ及びＣｃｈスピーカが一体となったセンターユニットがある（例えば、特許文献１参照。）。
【０００５】
【特許文献１】
特開２００１−１５７２９４号公報　（第２頁、第１図）
【０００６】
【発明が解決しようとする課題】
図６に示すように、聴取者２０がＣｃｈスピーカ２３から出力されるオーディオ信号（音声信号）を最適な音質で聴取するためには、Ｃｃｈスピーカ２３の設置場所は、聴取者２０の前方に限られていた。このため、Ｃｃｈスピーカ２３を聴取者２０の前方にある映像モニタの上方又は下方に設置していた。
【０００７】
映像モニタが収納ラック等に置かれている場合、映像モニタの上方又は下方にＣｃｈスピーカ２３又は特許文献１に開示されているセンターユニットを設置することができないことがあった。また、映像モニタとして液晶型モニタ等の薄型モニタを使用している場合、液晶型モニタ等の上方にＣｃｈスピーカ２３又はセンターユニットを設置することができないので、Ｃｃｈスピーカ２３又はセンターユニットの設置場所は、液晶型モニタ等の下方に限られていた。
【０００８】
また、特許文献１に開示されているセンターユニットは、ＦＬｃｈスピーカ、ＦＲｃｈスピーカ及びＣｃｈスピーカが一体となっているため、聴取者２０は、センターユニットを聴取者２０の前方に設置していないと、センターユニットのＦＬｃｈスピーカ及びＦＲｃｈスピーカから出力されるオーディオ信号を最適な音質で聴取することができなかった。以上のように、従来のマルチチャンネルスピーカシステムでは、最適な音質でオーディオ信号を聴取するためには各スピーカ、特にＣｃｈスピーカ、ＦＬｃｈスピーカ及びＦＲｃｈスピーカの設置場所が制限されていた。
【０００９】
【課題を解決するための手段】
上記の課題を解決するために、本願の請求項１記載の発明は、映像信号及びマルチチャンネルのオーディオ信号を出力する再生装置と映像信号を再生出力する映像モニタとマルチチャンネルのオーディオ信号を再生出力するマルチチャンネルスピーカシステムとを備えたホームシアターシステムにおいて、前記マルチチャンネルスピーカシステムは、前方左チャンネルのオーディオ信号を再生出力する前方左スピーカユニットと、前方右チャンネルのオーディオ信号を再生出力する前方右スピーカユニットと、前方中央チャンネルのオーディオ信号を再生出力する第１前方中央スピーカユニット及び第２前方中央スピーカユニットからなる前方中央スピーカユニットを備え、前記第１前方中央スピーカユニットと前記前方左スピーカユニットを１つのユニットとして一体化し、前記第２前方中央スピーカユニットと前記前方右スピーカユニットを１つのユニットとして一体化したことを特徴とする。
【００１０】
また、本願の請求項２記載の発明は、マルチチャンネルのオーディオ信号を再生出力するマルチチャンネルスピーカシステムにおいて、前方左チャンネルのオーディオ信号を再生出力する前方左スピーカユニットと、前方右チャンネルのオーディオ信号を再生出力する前方右スピーカユニットと、前方中央チャンネルのオーディオ信号を再生出力する第１前方中央スピーカユニット及び第２前方中央スピーカユニットからなる前方中央スピーカユニットを備え、前記第１前方中央スピーカユニットと前記前方左スピーカユニットを１つのユニットとして一体化し、前記第２前方中央スピーカユニットと前記前方右スピーカユニットを１つのユニットとして一体化したことを特徴とする。
【００１１】
また、本願の請求項３記載の発明は、請求項２記載のマルチチャンネルスピーカシステムにおいて、前記前方左スピーカユニットは、前方左チャンネルのオーディオ信号を入力する第１入力手段と前方中央チャンネルのオーディオ信号を入力する第２入力手段を備え、前記前方右スピーカユニットは、前方右チャンネルのオーディオ信号を入力する第３入力手段と前方中央チャンネルのオーディオ信号を入力する第４入力手段を備えることを特徴とする。
【００１２】
また、本願の請求項４記載の発明は、請求項２又は請求項３記載のマルチチャンネルスピーカシステムにおいて、前記第１前方中央スピーカユニットは、前記前方左スピーカユニットと嵌合する第１嵌合手段を備え、前記第２前方中央スピーカユニットは、前記前方右スピーカユニットと嵌合する第２嵌合手段を備え、前記前方左スピーカユニットと前記第１前方中央スピーカユニットが前記第１嵌合手段により嵌合しているとき、前記第１嵌合手段は、前記前方左スピーカユニットが備える前記第２入力手段から入力された前方中央チャンネルのオーディオ信号を前記第１前方中央スピーカユニットに伝達し、前記前方右スピーカユニットと前記第２前方中央スピーカユニットが前記第２嵌合手段により嵌合しているとき、前記第２嵌合手段は、前記前方右スピーカユニットが備える前記第２入力手段から入力された前方中央チャンネルのオーディオ信号を前記第２前方中央スピーカユニットに伝達することを特徴とする。
【００１３】
また、本願の請求項５記載の発明は、請求項２乃至請求項４の何れか１項に記載のマルチチャンネルスピーカシステムにおいて、前記第１前方中央スピーカユニットは、前記前方左スピーカユニットと前記第１嵌合手段により嵌合しているとき、左右方向に自在に回動する第１回動手段を備え、第２前方中央スピーカユニットは、前記前方右スピーカユニットと前記第２嵌合手段により嵌合しているとき、左右方向に自在に回動する第２回動手段を備えることを特徴とする。
【００１４】
また、本願の請求項６記載の発明は、請求項２乃至請求項５の何れか１項に記載のマルチチャンネルスピーカシステムにおいて、前記第１前方中央スピーカユニット及び第２前方中央スピーカユニットは、前方中央チャンネルのオーディオ信号を入力する手段を備えることを特徴とする。
【００１５】
【発明の実施の形態】
以下、本発明の実施の形態を図面に基づいて説明する。
本実施例のホームシアターシステムは、ＤＶＤプレーヤやＡＶアンプ等の再生装置、テレビや液晶型モニタ等の映像モニタ及び後述するマルチチャンネルスピーカシステム等を備える。また、本実施例のマルチチャンネルスピーカシステムは、ＦＬｃｈスピーカ、ＲＬｃｈスピーカ、第１Ｃｃｈスピーカ、第２Ｃｃｈスピーカ、ＳＬｃｈスピーカ、ＳＲｃｈスピーカ及びＳＷｃｈスピーカ等を備える。
【００１６】
図１は、本実施例のＣｃｈスピーカを取り付けたＦＬｃｈスピーカ及びＦＲｃｈスピーカの前面図である。図２は、本実施例のＦＬｃｈスピーカ及びＦＲｃｈスピーカの背面図である。図３は、本実施例のＣｃｈスピーカを取り付けることができるＦＬｃｈスピーカ及びＦＲｃｈスピーカの構成を示す図である。図４は、ＦＬｃｈスピーカとＣｃｈスピーカの嵌合面を説明する図である。図５は、本実施例のＣｃｈスピーカを取り付けたＦＬｃｈスピーカ及びＦＲｃｈスピーカと聴取者の位置関係を説明する図である。
【００１７】
図１から図５において、１はＦＬｃｈスピーカ、２はＦＲｃｈスピーカ、３ａはＦＬｃｈスピーカ１に取り付け可能なＣｃｈスピーカ、３ｂはＦＲｃｈスピーカ２に取り付け可能なＣｃｈスピーカ、４はＣｃｈ入力端子、５はＣｃｈ入力端子、６はＦＬｃｈ入力端子、７はＦＲｃｈ入力端子、８は嵌合端子凹部、９は嵌合端子凸部、１０はＣｃｈ入力端子、１１は回転軸部、１２は回転軸受部を示す。
【００１８】
図１に示すように、Ｃｃｈスピーカ３ａとＦＬｃｈスピーカ１は、ＦＬｃｈスピーカ１の前面の右上にＣｃｈスピーカ３ａを取り付け可能な構造になっている。また、Ｃｃｈスピーカ３ｂとＦＲｃｈスピーカ２は、ＦＲｃｈスピーカ２の前面の左上にＣｃｈスピーカ３ｂを取り付け可能な構造になっている。
【００１９】
図２に示すように、ＦＬｃｈスピーカ１の背面には、Ｃｃｈ入力端子４及びＦＬｃｈ入力端子６が備えられている。また、ＦＲｃｈスピーカ２の背面には、Ｃｃｈ入力端子５及びＦＲｃｈ入力端子７が備えられている。ＤＶＤプレーヤやＡＶアンプ等の再生装置が備えるＦＬｃｈ出力端子とＦＬｃｈ入力端子６をスピーカケーブルで接続することにより、ＦＬｃｈスピーカ１は、ＦＬｃｈ入力端子６から入力されたＦＬｃｈのオーディオ信号を出力する。同様に、再生装置が備えるＦＲｃｈ出力端子とＦＲｃｈ入力端子７をスピーカケーブルで接続することにより、ＦＲｃｈスピーカ２は、ＦＲｃｈ入力端子７から入力されたＦＲｃｈのオーディオ信号を出力する。
【００２０】
Ｃｃｈ入力端子４及びＣｃｈ入力端子５は、２系統接続できるように各々入力端子を２個ずつ備えている。再生装置が備えるＣｃｈ出力端子は、１系統接続であるため、このＣｃｈ出力端子とＣｃｈ入力端子４及びＣｃｈ入力端子の両方を接続することができない。このため、本実施例では、再生装置が備えるＣｃｈ出力端子から出力するＣｃｈのオーディオ信号は、ＦＬｃｈスピーカ１又はＦＲｃｈスピーカ２のどちらか一方のスピーカを経由して、他方のスピーカに入力するようにした。
【００２１】
図３を用いて、再生装置が備えるＣｃｈ出力端子とＣｃｈ入力端子４及びＣｃｈ入力端子５の接続方法を説明する。例えば、再生装置が備えるＣｃｈ出力端子とＦＬｃｈスピーカ１のＣｃｈ入力端子４ａをスピーカケーブルで接続した場合は、Ｃｃｈ出力端子と接続していないＣｃｈ入力端子４ｂとＦＲｃｈスピーカ２のＣｃｈ入力端子５ａ又は５ｂをスピーカケーブルで接続する。したがって、Ｃｃｈ入力端子４ａに入力したＣｃｈのオーディオ信号は、Ｃｃｈ入力端子４ｂと接続したＣｃｈ入力端子５ａ又は５ｂに入力する。Ｃｃｈ入力端子４ａとＣｃｈ入力端子５ａ又は５ｂから入力したＣｃｈのオーディオ信号は、後述する嵌合端子凹部８と嵌合端子凸部９を介して、Ｃｃｈスピーカ３ａ及びＣｃｈスピーカ３ｂから出力される。
【００２２】
図４（ａ）は、Ｃｃｈスピーカ３ａと嵌合するＦＬｃｈスピーカ１の嵌合面を示す図である。図４（ｂ）は、Ｃｃｈスピーカ３ａの嵌合面（背面）を示す図である。図４（ａ）及び図４（ｂ）は、ＦＬｃｈスピーカ１及びＣｃｈスピーカ３ａについて説明する図であるが、ＦＲｃｈスピーカ２とＣｃｈスピーカ３ｂについても同様である。
図４（ａ）に示すように、ＦＬｃｈスピーカ１の嵌合面は、嵌合端子凹部８及び回転軸受部１２を備えている。また、図４（ｂ）に示すように、Ｃｃｈスピーカ３ａの嵌合面は、嵌合端子凸部９、Ｃｃｈ入力端子１０及び回転軸部１１を備えている。
【００２３】
嵌合端子凹部８と嵌合端子凸部９は、ＦＬｃｈスピーカ１とＣｃｈスピーカ３ａを嵌合するとき、互いに嵌合する位置に備えられている。このため、嵌合端子凹部８と嵌合端子凸部９が嵌合することにより、ＦＬｃｈスピーカ１にＣｃｈスピーカ３ａを固定することができる。また、嵌合端子凹部８及び嵌合端子凸部９は、Ｃｃｈのオーディオ信号を伝達する導体である。図３に示すように、ＦＬｃｈスピーカ１とＣｃｈスピーカ３ａが嵌合しているとき、Ｃｃｈ入力端子４から入力されたＣｃｈのオーディオ信号は、嵌合端子凹部８及び嵌合端子凸部９を介してＣｃｈスピーカ３ａから出力される。
【００２４】
ＦＬｃｈスピーカ１とＣｃｈスピーカ３ａが嵌合しているとき、回転軸部１１と回転軸受部１２が嵌合しているので、Ｃｃｈスピーカ３ａは、回転軸部１１を軸として左右方向に回動することができる。このため、図４（ａ）に示すように、嵌合端子凹部８は、Ｃｃｈスピーカ３ａの嵌合端子凸部９の回転方向に沿って形成されている。また、Ｃｃｈスピーカ３ａが左右方向に回動できるように、ＦＬｃｈスピーカ１とＣｃｈスピーカ３ａの嵌合面は、円弧の形状となっている。
【００２５】
Ｃｃｈスピーカ３ａ及びＣｃｈスピーカ３ｂを左右方向に回動することにより、Ｃｃｈスピーカ３ａ及びＣｃｈスピーカ３ｂから出力するＣｃｈのオーディオ信号の音像の定位する位置を調節することができる。図５に示すように、Ｃｃｈスピーカ３ａ及びＣｃｈスピーカ３ｂを聴取者２０の方向に向けることにより、聴取者２０は、Ｃｃｈスピーカ３ａ及びＣｃｈスピーカ３ｂから出力されるＣｃｈのオーディオ信号（音声信号）の音像を聴取者２０の聴取位置に定位することができる。
【００２６】
図４（ｂ）に示すように、Ｃｃｈスピーカ３ａの嵌合面には、Ｃｃｈ入力端子１０を備えているので、Ｃｃｈスピーカ３ａは、ＦＬｃｈスピーカ１から取り外してＣｃｈスピーカとして使用することができる。Ｃｃｈスピーカ３ａをＦＬｃｈスピーカ１から取り外して使用する場合は、再生装置が備えるＣｃｈ出力端子とＣｃｈ入力端子１０をスピーカケーブルで接続し、聴取者２０の前方の位置に設置する。
【００２７】
【発明の効果】
本発明によれば、前方中央スピーカを設置する場所がない場合でも、前方左スピーカ及び前方右スピーカに前方中央スピーカを取り付けることができるので、聴取者は、前方中央スピーカから出力されるオーディオ信号を最適な音質で聴取することができる。
【００２８】
また、前方左スピーカ及び前方右スピーカに取り付けられた前方中央スピーカは、回動することができるので、それぞれの前方中央スピーカを聴取者の方向に向けることにより、聴取者は、前方中央スピーカから出力されるオーディオ信号の音像を聴取者の聴取位置に定位することができる。
【００２９】
また、前方左スピーカ及び前方右スピーカに取り付けられた前方中央スピーカは、オーディオ信号を入力する入力部を備えているので、前方中央スピーカを前方左スピーカ及び前方右スピーカから取り外して使用することができる。
【図面の簡単な説明】
【図１】本発明の実施例であるＣｃｈスピーカを取り付けたＦＬｃｈスピーカ及びＦＲｃｈスピーカの前面を示す前面図。
【図２】本発明の実施例であるＦＬｃｈスピーカ及びＦＲｃｈスピーカの背面を示す背面図。
【図３】本発明の実施例であるＣｃｈスピーカを取り付けることができるＦＬｃｈスピーカ及びＦＲｃｈスピーカの構成を示す図。
【図４】本発明の実施例であるＦＬｃｈスピーカとＣｃｈスピーカの嵌合面を説明する図。
【図５】本発明の実施例であるＣｃｈスピーカを取り付けたＦＬｃｈスピーカ及びＦＲｃｈスピーカと聴取者の位置関係を説明する図。
【図６】５．１チャンネルのオーディオ信号を出力するマルチチャンネルスピーカシステムの一般的な配置を示す図。
【符号の説明】
１　　ＦＬｃｈスピーカ
２　　ＦＲｃｈスピーカ
３ａ　　Ｃｃｈスピーカ
３ｂ　　Ｃｃｈスピーカ
４　　Ｃｃｈ入力端子
５　　Ｃｃｈ入力端子
６　　ＦＬｃｈ入力端子
７　　ＦＲｃｈ入力端子
８　　嵌合端子凹部
９　　嵌合端子凸部
１０　　Ｃｃｈ入力端子
１１　　回転軸部
１２　　回転軸受部
２０　　聴取者
２１　　ＦＬｃｈスピーカ
２２　　ＲＬｃｈスピーカ
２３　　Ｃｃｈスピーカ
２４　　ＳＬｃｈスピーカ
２５　　ＳＲｃｈスピーカ
２６　　ＳＷｃｈスピーカ
【図１】
2004128552.tif 000003
【図２】
2004128552.tif 000004
【図３】
2004128552.tif 000005
【図４】
2004128552.tif 000006
【図５】
2004128552.tif 000007
【図６】
2004128552.tif 000008